(57)【要約】      （修正有）【課題】各授業に応じた適宜の使用を実現可能とする情報表示制御装置を実現し、情報表示制御装置の使い勝手を向上させる。【解決手段】時間割表画面において選択授業に対し予習キーを押下すると、選択授業について予習データを登録する為の予習モード画面を表示し、当該画面において、辞書を検索した履歴を予習データとして授業や科目で部類して予習データテーブルに登録し、当該授業において迅速に説明情報を表示できるようにした。【選択図】図６
2010079920.tif 000002
【特許請求の範囲】
【請求項１】
見出語と当該見出語の説明情報とが対応づけられた辞書情報を辞書の種類毎に記憶する辞書記憶手段と、
各曜日の各時限毎の授業と科目とを対応付けた時間割を記憶している時間割記憶手段と、
前記時間割記憶手段に記憶されている各科目に対応づけて辞書の種類を記憶している科目辞書記憶手段と、
前記時間割記憶手段により記憶された時間割中の曜日と時限毎のいずれかの授業を指定する授業指定手段と、
この授業指定手段により指定された授業に対応付けられた科目を前記時間割記憶手段から読み出して、この科目に関連付けられている辞書の種類を前記科目辞書記憶手段から読み出して、検索対象の辞書情報に設定する検索対象辞書設定手段と、
この検索対象辞書設定手段により設定された検索対象の辞書情報に記憶された見出語を検索する辞書検索手段と、
を備えることを特徴とする情報表示制御装置。
【請求項２】
日時を計時する計時手段を更に備え、
前記授業指定手段は、前記計時手段により計時された日時に対応して前記時間割中の授業を指定する日時対応授業指定手段を有する、
ことを特徴とする請求項１に記載の情報表示制御装置。
【請求項３】
前記時間割記憶手段に記憶された時間割の各曜日の各時限毎の授業を表示する制御を行う時間割表示制御手段を更に備え、
前記授業指定手段は、前記時間割表示制御手段により表示制御された時間割の各曜日の各時限毎の授業の中からユーザ操作によって、いずれかの授業を指定する表示時間割中選択手段を有する、
ことを特徴とする請求項１に記載の情報表示制御装置。
【請求項４】
見出語と当該見出語の説明情報とが対応づけられた辞書情報を辞書の種類毎に辞書情報を記憶する記憶手段と、
各曜日の各時限毎の授業と科目とを対応付けた時間割を記憶している時間割記憶手段と、
前記時間割記憶手段に記憶されている各科目に対応づけて辞書の種類を記憶している科目辞書記憶手段と、
前記時間割記憶手段に記憶された時間割の各曜日の各時限毎の授業を表示する制御を行う時間割表示制御手段と、
この時間割表示制御手段により表示制御された時間割の各曜日の各時限毎の授業の中からユーザ操作によって、いずれかの授業を指定する授業指定手段と、
文字列を入力する入力手段と、
この入力手段により入力された文字列に適合する見出語を、前記授業指定手段により指定された授業に対応付けられた科目に関連付けられている辞書の種類の辞書情報の中からユーザ操作により選択された見出語に対応する説明情報を当該辞書情報から読み出して表示する制御を行う説明情報表示制御手段と、
この説明情報表示制御手段により選択された見出語を登録見出語として、前記授業指定手段により指定された授業と対応付けて蓄積的に記憶する制御を行う見出語蓄積記憶制御手段と、
ユーザ操作により選択された何れかの授業に対応付けて前記見出語蓄積記憶制御手段に記憶されている登録見出語を表示する制御を行う登録見出語表示制御手段と、
を備えることを特徴とする情報表示制御装置。
【請求項５】
前記登録見出語表示制御手段は、現在日時をもとに前記時間割中の授業を指定する授業指定手段を有することを特徴とする請求項４に記載の情報表示制御装置。
【請求項６】
前記見出語蓄積記憶制御手段は、
前記説明情報表示制御手段により表示制御されている説明情報中の説明情報登録部分をユーザ操作により指定する説明情報登録部分指定手段と、
前記登録見出語をこの説明情報登録部分指定手段により指定された説明情報登録部分と関連付けて記憶する登録見出語関連付け記憶手段と、
を有し、
前記登録見出語表示制御手段は、表示制御する登録見出語に関連付けられている説明情報登録部分を、選択した授業に対応する科目に関連付けられている辞書の種類の辞書情報の中から読み出して表示する制御を行う説明情報登録部分表示制御手段を有する、
ことを特徴とする請求項４に記載の情報表示制御装置。
【請求項７】
前記時間割表示制御手段は、表示制御する時間割の授業のうち、前記見出語蓄積記憶制御手段に記憶されている登録見出語に対応付けられている授業を識別表示する制御を行う登録見出語有り授業識別表示制御手段を有することを特徴とする請求項４に記載の情報表示制御装置。
【請求項８】
所定の通信回線を介して利用者端末と通信可能に接続されるサーバにおいて、
見出語と当該見出語の説明情報とが対応づけられた辞書情報を辞書の種類毎に記憶する辞書記憶手段と、
各曜日の各時限毎の授業と科目とを対応付けた時間割を記憶している時間割記憶手段と、
前記時間割記憶手段に記憶されている各科目に対応づけて辞書の種類を記憶している科目辞書記憶手段と、
前記時間割記憶手段により記憶された時間割中の曜日と時限毎のいずれかの授業を指定する授業指定手段と、
この授業指定手段により指定された授業に対応付けられた科目を前記時間割記憶手段から読み出して、この科目に関連付けられている辞書の種類を前記科目辞書記憶手段から読み出して、検索対象の辞書情報に設定する検索対象辞書設定手段と、
この検索対象辞書設定手段により設定された検索対象の辞書情報に記憶された見出語を検索して検索結果を前記利用者端末に送信する辞書検索送信制御手段と、
を備えることを特徴とするサーバ。
【請求項９】
所定の通信回線を介して利用者端末と通信可能に接続されるサーバにおいて、
見出語と当該見出語の説明情報とが対応づけられた辞書情報を辞書の種類毎に辞書情報を記憶する記憶手段と、
各曜日の各時限毎の授業と科目とを対応付けた時間割を記憶している時間割記憶手段と、
前記時間割記憶手段に記憶されている各科目に対応づけて辞書の種類を記憶している科目辞書記憶手段と、
前記時間割記憶手段に記憶された時間割の各曜日の各時限毎の授業の表示制御信号を前記利用者端末に送信する時間割表示信号送信制御手段と、
時間割の各曜日の各時限毎の授業の中からいずれかの授業を指定する信号を前記利用者端末から受信する授業指定信号受信手段と、
前記利用者端末から文字列を受信する入力文字列受信手段と、
この入力文字列受信手段により受信された文字列に適合する見出語を、前記授業指定信号受信手段により受信された信号に応じた授業に対応付けられた科目に関連付けられている辞書の種類の辞書情報の中から選択し、選択した見出語に対応する説明情報を当該辞書情報から読み出して前記利用者端末に送信する制御を行う説明情報送信制御手段と、
この説明情報送信制御手段により選択された見出語を登録見出語として、前記授業指定手段により指定された授業と対応付けて蓄積的に記憶する制御を行う見出語蓄積記憶制御手段と、
何れかの授業を選択し、選択した授業に対応付けて前記見出語蓄積記憶制御手段に記憶されている登録見出語の表示制御信号を前記利用者端末に送信する登録見出語送信制御手段と、
を備えることを特徴とするサーバ。
【請求項１０】
コンピュータに
見出語と当該見出語の説明情報とが対応づけられた辞書情報を辞書の種類毎に記憶する辞書記憶機能と、
各曜日の各時限毎の授業と科目とを対応付けた時間割を記憶している時間割記憶機能と、
前記時間割記憶機能により記憶されている各科目に対応づけて辞書の種類を記憶している科目辞書記憶機能と、
前記時間割記憶機能により記憶された時間割中の曜日と時限毎のいずれかの授業を指定する授業指定機能と、
この授業指定機能により指定された授業に対応付けられた科目を前記時間割記憶機能により記憶されている科目の中から読み出して、この科目に関連付けられている辞書の種類を前記科目辞書記憶機能により記憶されている辞書の種類の中から読み出して、検索対象の辞書情報に設定する検索対象辞書設定機能と、
この検索対象辞書設定機能により設定された検索対象の辞書情報に記憶された見出語を検索する制御を行う辞書検索機能と、
を実現させるためのプログラム。
【請求項１１】
コンピュータに、
見出語と当該見出語の説明情報とが対応づけられた辞書情報を辞書の種類毎に辞書情報を記憶する記憶機能と、
各曜日の各時限毎の授業と科目とを対応付けた時間割を記憶している時間割記憶機能と、
前記時間割記憶機能により記憶されている各科目に対応づけて辞書の種類を記憶している科目辞書記憶機能と、
前記時間割記憶機能に記憶された時間割の各曜日の各時限毎の授業を表示する制御を行う時間割表示制御機能と、
この時間割表示制御機能により表示制御された時間割の各曜日の各時限毎の授業の中からユーザ操作によって、いずれかの授業を指定する授業指定機能と、
文字列を入力する入力機能と、
この入力機能により入力された文字列に適合する見出語を、前記授業指定機能により指定された授業に対応付けられた科目に関連付けられている辞書の種類の辞書情報の中からユーザ操作により選択された見出語に対応する説明情報を当該辞書情報から読み出して表示する制御を行う説明情報表示制御機能と、
この説明情報表示制御機能により選択された見出語を登録見出語として、前記授業指定機能により指定された授業と対応付けて蓄積的に記憶する制御を行う見出語蓄積記憶制御機能と、
ユーザ操作により選択された何れかの授業に対応付けて前記見出語蓄積記憶制御機能に記憶されている登録見出語を表示する制御を行う登録見出語表示制御機能と、
を実現させるためのプログラム。
【請求項１２】
所定の通信回線を介して利用者端末と通信可能に接続されるコンピュータに、
見出語と当該見出語の説明情報とが対応づけられた辞書情報を辞書の種類毎に記憶する辞書記憶機能と、
各曜日の各時限毎の授業と科目とを対応付けた時間割を記憶している時間割記憶機能と、
前記時間割記憶機能に記憶されている各科目に対応づけて辞書の種類を記憶している科目辞書記憶機能と、
前記時間割記憶機能により記憶された時間割中の曜日と時限毎のいずれかの授業を指定する授業指定機能と、
この授業指定機能により指定された授業に対応付けられた科目を前記時間割記憶機能により記憶されている科目の中から読み出して、この科目に関連付けられている辞書の種類を前記科目辞書記憶機能により記憶されている辞書の種類の中読み出して、検索対象の辞書情報に設定する検索対象辞書設定機能と、
この検索対象辞書設定機能により設定された検索対象の辞書情報に記憶された見出語を検索して検索結果を前記利用者端末に送信する辞書検索送信制御機能と、
を実現させるためのプログラム。
【請求項１３】
所定の通信回線を介して利用者端末と通信可能に接続されるコンピュータに、
見出語と当該見出語の説明情報とが対応づけられた辞書情報を辞書の種類毎に辞書情報を記憶する記憶機能と、
各曜日の各時限毎の授業と科目とを対応付けた時間割を記憶している時間割記憶機能と、
前記時間割記憶機能により記憶されている各科目に対応づけて辞書の種類を記憶している科目辞書記憶機能と、
前記時間割記憶機能に記憶された時間割の各曜日の各時限毎の授業の表示制御信号を前記利用者端末に送信する時間割表示信号送信制御機能と、
時間割の各曜日の各時限毎の授業の中からいずれかの授業を指定する信号を前記利用者端末から受信する授業指定信号受信機能と、
前記利用者端末から文字列を受信する入力文字列受信機能と、
この入力文字列受信機能により受信された文字列に適合する見出語を、前記授業指定信号受信機能により受信された信号に応じた授業に対応付けられた科目に関連付けられている辞書の種類の辞書情報の中から選択し、選択した見出語に対応する説明情報を当該辞書情報から読み出して前記利用者端末に送信する制御を行う説明情報送信制御機能と、
この説明情報送信制御機能により選択された見出語を登録見出語として、前記授業指定機能により指定された授業と対応付けて蓄積的に記憶する制御を行う見出語蓄積記憶制御機能と、
何れかの授業を選択し、選択した授業に対応付けて前記見出語蓄積記憶制御機能に記憶されている登録見出語の表示制御信号を前記利用者端末に送信する登録見出語送信制御機能と、
を実現させるためのプログラム。
【請求項１４】
見出語と当該見出語の説明情報とが対応づけられた辞書情報を辞書の種類毎に記憶する辞書記憶手段と、
各科目に対応づけて辞書の種類を記憶している科目辞書記憶手段と、
科目を指定する科目指定手段と、
この科目指定手段により指定された科目に関連付けられている辞書の種類を前記科目辞書記憶手段から読み出して、検索対象の辞書情報に設定する検索対象辞書設定手段と、
この検索対象辞書設定手段により設定された検索対象の辞書情報に記憶された見出語を検索する辞書検索手段と、
を備えることを特徴とする情報表示制御装置。
【請求項１５】
所定の通信回線を介して利用者端末と通信可能に接続されるサーバにおいて、
見出語と当該見出語の説明情報とが対応づけられた辞書情報を辞書の種類毎に記憶する辞書記憶手段と、
各科目に対応づけて辞書の種類を記憶している科目辞書記憶手段と、
前記利用者端末から科目の選択信号を受信する科目選択信号受信手段と、
この科目選択信号受信手段により受信された信号に応じた科目に関連付けられている辞書の種類を前記科目辞書記憶手段から読み出して、検索対象の辞書情報に設定する検索対象辞書設定手段と、
この検索対象辞書設定手段により設定された検索対象の辞書情報に記憶された見出語を検索して検索結果を前記利用者端末に送信する辞書検索送信制御手段と、
を備えることを特徴とするサーバ。
【請求項１６】
コンピュータに、
見出語と当該見出語の説明情報とが対応づけられた辞書情報を辞書の種類毎に記憶する辞書記憶機能と、
各科目に対応づけて辞書の種類を記憶している科目辞書記憶機能と、
科目を指定する科目指定機能と、
この科目指定機能により指定された科目に関連付けられている辞書の種類を前記科目辞書記憶機能により記憶された辞書の種類から読み出して、検索対象の辞書情報に設定する検索対象辞書設定機能と、
この検索対象辞書設定機能により設定された検索対象の辞書情報に記憶された見出語を検索する辞書検索機能と、
を実現させるためのプログラム。
【請求項１７】
所定の通信回線を介して利用者端末と通信可能に接続されるコンピュータに、
見出語と当該見出語の説明情報とが対応づけられた辞書情報を辞書の種類毎に記憶する辞書記憶機能と、
各科目に対応づけて辞書の種類を記憶している科目辞書記憶機能と、
前記利用者端末から科目の選択信号を受信する科目選択信号受信機能と、
この科目選択信号受信機能により受信された信号に応じた科目に関連付けられている辞書の種類を前記科目辞書記憶機能により記憶された辞書の種類から読み出して、検索対象の辞書情報に設定する検索対象辞書設定機能と、
この検索対象辞書設定機能により設定された検索対象の辞書情報に記憶された見出語を検索して検索結果を前記利用者端末に送信する辞書検索送信制御機能と、
を実現させるためのプログラム。
【発明の詳細な説明】
【技術分野】
【０００１】
本発明は情報表示制御装置、サーバ及びプログラムに関し、詳細には、見出語と説明情報とが対応づけられ集合された辞書情報の中から見出語を検索してその見出語に対応する説明情報を表示する表示制御装置等に関するものである。
【背景技術】
【０００２】
従来から、国語辞典、英和辞典、和英辞典、英英辞典等、数種類の辞書データベース（以下、データベースを「ＤＢ」と呼ぶ。）を内蔵した携帯型の電子辞書装置（以下、単に「電子辞書」と呼ぶ。）と呼ばれる情報表示制御装置が知られている。電子辞書には、見出語検索機能や、例文検索機能等の種々の機能が備えられているが、その機能の１つとしてヒストリ機能がある。
【０００３】
ヒストリ機能とは、ユーザによって検索された見出語に対応する説明情報を表示した場合（以下、この一連の行為を「辞書引き」と呼ぶ。）に、その検索した見出語を時系列順に随時蓄積記憶する機能である（以下、蓄積記憶された見出語を「ヒストリ見出語」と呼ぶ。）。ユーザは、この蓄積記憶されたヒストリ見出語を一覧表示させて、所望のヒストリ見出語を選択することにより、当該ヒストリ見出語の説明情報を参照できるため、過去に検索したことのある見出語を入力する手間を省くことができる。また、ヒストリ機能の一種として、検索した見出語を選択的にヒストリとは別の記憶領域に記憶させる単語帳としての機能（単語帳機能）を持つ電子辞書も知られている（特許文献１参照。）。
【先行技術文献】
【特許文献】
【０００４】
【特許文献１】特開平５−２３３６８４号公報
【発明の概要】
【発明が解決しようとする課題】
【０００５】
ところで、電子辞書に内蔵される辞書ＤＢの数は年々増加する傾向にあり、メモリの大容量化に伴って今後も増加していくと思われる。主な利用者である学生においては、多くの辞書が搭載された小型の電子辞書１台で、英語や英会話、国語、古典、地理、歴史、パソコン等のあらゆる授業に対する利用が可能であるため、より多くの辞書ＤＢが搭載された電子辞書は至便である。しかしながら、内蔵されている辞書ＤＢの数が多いことから、学習対象の授業に対する辞書ＤＢを探す作業が繁雑化してきている状況にある。
【０００６】
また、予習と授業の双方で電子辞書を利用する場合、次のような使用形態があった。すなわち、予習等において辞書引きした見出語がヒストリ見出語として登録されることから、ヒストリ機能を利用し、予習時に辞書引きしたヒストリ見出語を選択することで、授業において迅速に説明情報を表示させるといった使用形態である。
【０００７】
しかしこの場合、ヒストリ機能では、辞書引きする毎に辞書引きした見出語が追加・登録されていってしまう。このため、ヒストリ機能において、予習した授業に対するヒストリ見出語のみならず、他のヒストリ見出語も一覧表示されてしまっていた。
【０００８】
そこで、選択的に見出語を登録できる単語帳機能を利用する方法があるが、例えば英語の辞書ＤＢを利用する科目としては、英語（学校によっては英語Ａ、英語Ｂといった科目もある。）、英会話など異なる科目があるために、英語の辞書ＤＢについての見出語を単語帳登録しようとしても、異なる科目に対する見出語が混在して登録されてしまっていた。
【０００９】
さらに、予習が次回の授業以上に進んでいる場合等、各授業に対する見出語を登録・表示させたい場合もあるが、そのような使用形態は困難であった。
【００１０】
本発明は上述した課題に鑑みて為されたものであり、その目的とするところは、各授業に応じた適宜の使用を実現可能とする情報表示制御装置を実現し、情報表示制御装置の使い勝手を向上させることである。
【課題を解決するための手段】
【００１１】
以上の課題を解決するため、請求項１に記載の発明の情報表示制御装置は、
見出語と当該見出語の説明情報とが対応づけられた辞書情報を辞書の種類毎に記憶する辞書記憶手段（例えば、図４のフラッシュＲＯＭ１６）と、
各曜日の各時限毎の授業と科目とを対応付けた時間割を記憶している時間割記憶手段（例えば、図５の時間割データテーブル１６１）と、
前記時間割記憶手段に記憶されている各科目に対応づけて辞書の種類を記憶している科目辞書記憶手段（例えば、図５の時間割データテーブル１６１）と、
前記時間割記憶手段により記憶された時間割中の曜日と時限毎のいずれかの授業を指定する授業指定手段（例えば、図１２の選択カーソルＢ１４）と、
この授業指定手段により指定された授業に対応付けられた科目を前記時間割記憶手段から読み出して、この科目に関連付けられている辞書の種類を前記科目辞書記憶手段から読み出して、検索対象の辞書情報に設定する（例えば、図２のＣＰＵ１１；図８のステップＳ２１２）と、
この検索対象辞書設定手段により設定された検索対象の辞書情報に記憶された見出語を検索する辞書検索手段と、
を備えることを特徴としている。
【００１２】
また、請求項２に記載の発明は、請求項１に記載の情報表示制御装置において、
日時を計時する計時手段（例えば、図２の計時部１７）を更に備え、
前記授業指定手段は、前記計時手段により計時された日時に対応して前記時間割中の授業を指定する日時対応授業指定手段（例えば、図２のＣＰＵ１１；図７のステップＳ１０１）を有する、
ことを特徴としている。
【００１３】
また、請求項３に記載の発明は、請求項１に記載の情報表示制御装置において、
前記時間割記憶手段に記憶された時間割の各曜日の各時限毎の授業を表示する制御を行う時間割表示制御手段（例えば、図２のＣＰＵ１１；図８のステップＳ２０３）を更に備え、
前記授業指定手段は、前記時間割表示制御手段により表示制御された時間割の各曜日の各時限毎の授業の中からユーザ操作によって、いずれかの授業を指定する（例えば、図２のＣＰＵ１１；図８のステップＳ２０９）を有する、
ことを特徴としている。
【００１４】
また、請求項４に記載の発明の情報表示制御装置は、
見出語と当該見出語の説明情報とが対応づけられた辞書情報を辞書の種類毎に辞書情報を記憶する記憶手段（例えば、図４のフラッシュＲＯＭ１６）と、
各曜日の各時限毎の授業と科目とを対応付けた時間割を記憶している時間割記憶手段（例えば、図５の時間割データテーブル１６１）と、
前記時間割記憶手段に記憶されている各科目に対応づけて辞書の種類を記憶している科目辞書記憶手段（例えば、図５の時間割データテーブル１６１）と、
前記時間割記憶手段に記憶された時間割の各曜日の各時限毎の授業を表示する制御を行う時間割表示制御手段（例えば、図２のＣＰＵ１１；図８のステップＳ２０３）と、
この時間割表示制御手段により表示制御された時間割の各曜日の各時限毎の授業の中からユーザ操作によって、いずれかの授業を指定する授業指定手段（例えば、図１２の選択カーソルＢ１４）と、
文字列を入力する入力手段（例えば、図２のＣＰＵ１１；図１０のステップＳ４０３）と、
この入力手段により入力された文字列に適合する見出語を、前記授業指定手段により指定された授業に対応付けられた科目に関連付けられている辞書の種類の辞書情報の中からユーザ操作により選択された見出語に対応する説明情報を当該辞書情報から読み出して表示する制御を行う説明情報表示制御手段（例えば、図２のＣＰＵ１１；図１０のステップＳ４０３）と、
この説明情報表示制御手段により選択された見出語を登録見出語として、前記授業指定手段により指定された授業と対応付けて蓄積的に記憶する制御を行う見出語蓄積記憶制御手段（例えば、図２のＣＰＵ１１；図１０のステップＳ４０４）と、
ユーザ操作により選択された何れかの授業に対応付けて前記見出語蓄積記憶制御手段に記憶されている登録見出語を表示する制御を行う登録見出語表示制御手段（例えば、図２のＣＰＵ１１；図１０のステップＳ４０２）と、
を備えることを特徴としている。
【００１５】
また、請求項５に記載の発明は、請求項４に記載の情報表示制御装置において、
前記登録見出語表示制御手段は、現在日時をもとに前記時間割中の授業を指定する授業指定手段（例えば、図２のＣＰＵ１１；図７のステップＳ１０１）を有することを特徴としている。
【００１６】
また、請求項６に記載の発明は、請求項４に記載の情報表示制御装置において、
前記見出語蓄積記憶制御手段は、
前記説明情報表示制御手段により表示制御されている説明情報中の説明情報登録部分をユーザ操作により指定する説明情報登録部分指定手段（例えば、図２２のＡ４１）と、
前記登録見出語をこの説明情報登録部分指定手段により指定された説明情報登録部分と関連付けて記憶する登録見出語関連付け記憶手段（例えば、図２３の予習データテーブル１６２−１）と、
を有し、
前記登録見出語表示制御手段は、表示制御する登録見出語に関連付けられている説明情報登録部分を、選択した授業に対応する科目に関連付けられている辞書の種類の辞書情報の中から読み出して表示する制御を行う説明情報登録部分表示制御手段（例えば、図１１のステップステップＳ５０３）を有する、
ことを特徴としている。
【００１７】
また、請求項７に記載の発明は、請求項４に記載の情報表示制御装置において、
前記時間割表示制御手段は、表示制御する時間割の授業のうち、前記見出語蓄積記憶制御手段に記憶されている登録見出語に対応付けられている授業を識別表示する制御を行う登録見出語有り授業識別表示制御手段（例えば、図２のＣＰＵ１１；図８のステップＳ２０３）を有することを特徴としている。
【００１８】
また、請求項８に記載の発明は、所定の通信回線を介して利用者端末と通信可能に接続されるサーバ（例えば、図２０のサーバ２００）において、
見出語と当該見出語の説明情報とが対応づけられた辞書情報を辞書の種類毎に記憶する辞書記憶手段（例えば、図２０の記憶部２１４）と、
各曜日の各時限毎の授業と科目とを対応付けた時間割を記憶している時間割記憶手段（例えば、図２０の記憶部２１４）と、
前記時間割記憶手段に記憶されている各科目に対応づけて辞書の種類を記憶している科目辞書記憶手段（例えば、図２０のＣＰＵ２０２）と、
前記時間割記憶手段により記憶された時間割中の曜日と時限毎のいずれかの授業を指定する授業指定手段（例えば、図２０のＣＰＵ２０２）と、
この授業指定手段により指定された授業に対応付けられた科目を前記時間割記憶手段から読み出して、この科目に関連付けられている辞書の種類を前記科目辞書記憶手段から読み出して、検索対象の辞書情報に設定する検索対象辞書設定手段（例えば、図２０のＣＰＵ２０２）と、
この検索対象辞書設定手段により設定された検索対象の辞書情報に記憶された見出語を検索して検索結果を前記利用者端末に送信する辞書検索送信制御手段（例えば、図２０のＣＰＵ２０２）と、
を備えることを特徴としている。
【００１９】
また、請求項９に記載の発明は、所定の通信回線を介して利用者端末と通信可能に接続されるサーバ（例えば、図２０のサーバ２００）において、
見出語と当該見出語の説明情報とが対応づけられた辞書情報を辞書の種類毎に辞書情報を記憶する記憶手段（例えば、図２０の記憶部２１４）と、
各曜日の各時限毎の授業と科目とを対応付けた時間割を記憶している時間割記憶手段（例えば、図２０の記憶部２１４）と、
前記時間割記憶手段に記憶されている各科目に対応づけて辞書の種類を記憶している科目辞書記憶手段（例えば、図２０のＣＰＵ２０２）と、
前記時間割記憶手段に記憶された時間割の各曜日の各時限毎の授業の表示制御信号を前記利用者端末に送信する時間割表示信号送信制御手段（例えば、図２０のＣＰＵ２０２）と、
時間割の各曜日の各時限毎の授業の中からいずれかの授業を指定する信号を前記利用者端末から受信する授業指定信号受信手段（例えば、図２０の通信装置２０８）と、
前記利用者端末から文字列を受信する入力文字列受信手段（例えば、図２０の通信装置２０８）と、
この入力文字列受信手段により受信された文字列に適合する見出語を、前記授業指定信号受信手段により受信された信号に応じた授業に対応付けられた科目に関連付けられている辞書の種類の辞書情報の中から選択し、選択した見出語に対応する説明情報を当該辞書情報から読み出して前記利用者端末に送信する制御を行う説明情報送信制御手段（例えば、図２０のＣＰＵ２０２）と、
この説明情報送信制御手段により選択された見出語を登録見出語として、前記授業指定手段により指定された授業と対応付けて蓄積的に記憶する制御を行う見出語蓄積記憶制御手段（例えば、図２０のＣＰＵ２０２）と、
何れかの授業を選択し、選択した授業に対応付けて前記見出語蓄積記憶制御手段に記憶されている登録見出語の表示制御信号を前記利用者端末に送信する登録見出語送信制御手段（例えば、図２０のＣＰＵ２０２）と、
を備えることを特徴としている。
【００２０】
また、請求項１０に記載の発明のプログラムは、
コンピュータに
見出語と当該見出語の説明情報とが対応づけられた辞書情報を辞書の種類毎に記憶する辞書記憶機能（例えば、図４のフラッシュＲＯＭ１６）と、
各曜日の各時限毎の授業と科目とを対応付けた時間割を記憶している時間割記憶機能（例えば、図５の時間割データテーブル１６１）と、
前記時間割記憶機能により記憶されている各科目に対応づけて辞書の種類を記憶している科目辞書記憶機能（例えば、図５の時間割データテーブル１６１）と、
前記時間割記憶機能により記憶された時間割中の曜日と時限毎のいずれかの授業を指定する授業指定機能（例えば、図１２の選択カーソルＢ１４）と、
この授業指定機能により指定された授業に対応付けられた科目を前記時間割記憶機能により記憶されている科目の中から読み出して、この科目に関連付けられている辞書の種類を前記科目辞書記憶機能により記憶されている辞書の種類の中から読み出して、検索対象の辞書情報に設定する検索対象辞書設定機能（例えば、図８のステップＳ２１２）と、
この検索対象辞書設定機能により設定された検索対象の辞書情報に記憶された見出語を検索する制御を行う辞書検索機能（例えば、図７のステップＳ１０５）と、
を実現させることを特徴としている。
【００２１】
また、請求項１１に記載の発明のプログラムは、
コンピュータに、
見出語と当該見出語の説明情報とが対応づけられた辞書情報を辞書の種類毎に辞書情報を記憶する記憶機能（例えば、図４のフラッシュＲＯＭ１６）と、
各曜日の各時限毎の授業と科目とを対応付けた時間割を記憶している時間割記憶機能（例えば、図５の時間割データテーブル１６１）と、
前記時間割記憶機能により記憶されている各科目に対応づけて辞書の種類を記憶している科目辞書記憶機能（例えば、図５の時間割データテーブル１６１）と、
前記時間割記憶機能に記憶された時間割の各曜日の各時限毎の授業を表示する制御を行う時間割表示制御機能（例えば、図８のステップＳ２０３）と、
この時間割表示制御機能により表示制御された時間割の各曜日の各時限毎の授業の中からユーザ操作によって、いずれかの授業を指定する授業指定機能（例えば、図１２の選択カーソルＢ１４）と、
文字列を入力する入力機能（例えば、図１０のステップＳ４０３）と、
この入力機能により入力された文字列に適合する見出語を、前記授業指定機能により指定された授業に対応付けられた科目に関連付けられている辞書の種類の辞書情報の中からユーザ操作により選択された見出語に対応する説明情報を当該辞書情報から読み出して表示する制御を行う説明情報表示制御機能（例えば、図１０のステップＳ４０３）と、
この説明情報表示制御機能により選択された見出語を登録見出語として、前記授業指定機能により指定された授業と対応付けて蓄積的に記憶する制御を行う見出語蓄積記憶制御機能（例えば、図１０のステップＳ４０４）と、
ユーザ操作により選択された何れかの授業に対応付けて前記見出語蓄積記憶制御機能に記憶されている登録見出語を表示する制御を行う登録見出語表示制御機能（例えば、図１０のステップＳ４０２）と、
を実現させることを特徴としている。
【００２２】
また、請求項１２に記載の発明のプログラムは、
見出語と当該見出語の説明情報とが対応づけられた辞書情報を辞書の種類毎に記憶する辞書記憶機能と、
各曜日の各時限毎の授業と科目とを対応付けた時間割を記憶している時間割記憶機能と、
前記時間割記憶機能に記憶されている各科目に対応づけて辞書の種類を記憶している科目辞書記憶機能と、
前記時間割記憶機能により記憶された時間割中の曜日と時限毎のいずれかの授業を指定する授業指定機能と、
この授業指定機能により指定された授業に対応付けられた科目を前記時間割記憶機能により記憶されている科目の中から読み出して、この科目に関連付けられている辞書の種類を前記科目辞書記憶機能により記憶されている辞書の種類の中読み出して、検索対象の辞書情報に設定する検索対象辞書設定機能と、
この検索対象辞書設定機能により設定された検索対象の辞書情報に記憶された見出語を検索して検索結果を前記利用者端末に送信する辞書検索送信制御機能と、
を実現させることを特徴としている。
【００２３】
また、請求項１３に記載の発明のプログラムは、
所定の通信回線を介して利用者端末と通信可能に接続されるコンピュータに、
見出語と当該見出語の説明情報とが対応づけられた辞書情報を辞書の種類毎に辞書情報を記憶する記憶機能と、
各曜日の各時限毎の授業と科目とを対応付けた時間割を記憶している時間割記憶機能と、
前記時間割記憶機能により記憶されている各科目に対応づけて辞書の種類を記憶している科目辞書記憶機能と、
前記時間割記憶機能に記憶された時間割の各曜日の各時限毎の授業の表示制御信号を前記利用者端末に送信する時間割表示信号送信制御機能と、
時間割の各曜日の各時限毎の授業の中からいずれかの授業を指定する信号を前記利用者端末から受信する授業指定信号受信機能と、
前記利用者端末から文字列を受信する入力文字列受信機能と、
この入力文字列受信機能により受信された文字列に適合する見出語を、前記授業指定信号受信機能により受信された信号に応じた授業に対応付けられた科目に関連付けられている辞書の種類の辞書情報の中から選択し、選択した見出語に対応する説明情報を当該辞書情報から読み出して前記利用者端末に送信する制御を行う説明情報送信制御機能と、
この説明情報送信制御機能により選択された見出語を登録見出語として、前記授業指定機能により指定された授業と対応付けて蓄積的に記憶する制御を行う見出語蓄積記憶制御機能と、
何れかの授業を選択し、選択した授業に対応付けて前記見出語蓄積記憶制御機能に記憶されている登録見出語の表示制御信号を前記利用者端末に送信する登録見出語送信制御機能と、
を実現させることを特徴としている。
【００２４】
また、請求項１４に記載の発明の情報表示制御装置は、
見出語と当該見出語の説明情報とが対応づけられた辞書情報を辞書の種類毎に記憶する辞書記憶手段と、
各科目に対応づけて辞書の種類を記憶している科目辞書記憶手段と、
科目を指定する科目指定手段と、
この科目指定手段により指定された科目に関連付けられている辞書の種類を前記科目辞書記憶手段から読み出して、検索対象の辞書情報に設定する検索対象辞書設定手段と、
この検索対象辞書設定手段により設定された検索対象の辞書情報に記憶された見出語を検索する辞書検索手段と、
を備えることを特徴としている。
【００２５】
また、請求項１５に記載の発明のサーバは、
所定の通信回線を介して利用者端末と通信可能に接続されるサーバにおいて、
見出語と当該見出語の説明情報とが対応づけられた辞書情報を辞書の種類毎に記憶する辞書記憶手段と、
各科目に対応づけて辞書の種類を記憶している科目辞書記憶手段と、
前記利用者端末から科目の選択信号を受信する科目選択信号受信手段と、
この科目選択信号受信手段により受信された信号に応じた科目に関連付けられている辞書の種類を前記科目辞書記憶手段から読み出して、検索対象の辞書情報に設定する検索対象辞書設定手段と、
この検索対象辞書設定手段により設定された検索対象の辞書情報に記憶された見出語を検索して検索結果を前記利用者端末に送信する辞書検索送信制御手段と、
を備えることを特徴としている。
【００２６】
また、請求項１６に記載の発明のプログラムは、
コンピュータに、
見出語と当該見出語の説明情報とが対応づけられた辞書情報を辞書の種類毎に記憶する辞書記憶機能と、
各科目に対応づけて辞書の種類を記憶している科目辞書記憶機能と、
科目を指定する科目指定機能と、
この科目指定機能により指定された科目に関連付けられている辞書の種類を前記科目辞書記憶機能により記憶された辞書の種類から読み出して、検索対象の辞書情報に設定する検索対象辞書設定機能と、
この検索対象辞書設定機能により設定された検索対象の辞書情報に記憶された見出語を検索する辞書検索機能と、
を実現させることを特徴としている。
【００２７】
また、請求項１７に記載の発明のプログラムは、
所定の通信回線を介して利用者端末と通信可能に接続されるコンピュータに、
見出語と当該見出語の説明情報とが対応づけられた辞書情報を辞書の種類毎に記憶する辞書記憶機能と、
各科目に対応づけて辞書の種類を記憶している科目辞書記憶機能と、
前記利用者端末から科目の選択信号を受信する科目選択信号受信機能と、
この科目選択信号受信機能により受信された信号に応じた科目に関連付けられている辞書の種類を前記科目辞書記憶機能により記憶された辞書の種類から読み出して、検索対象の辞書情報に設定する検索対象辞書設定機能と、
この検索対象辞書設定機能により設定された検索対象の辞書情報に記憶された見出語を検索して検索結果を前記利用者端末に送信する辞書検索送信制御機能と、
を実現させることを特徴としている。
【発明の効果】
【００２８】
請求項１，１０に記載の発明によれば、見出語と当該見出語の説明情報とが対応づけられた辞書情報を辞書の種類毎に記憶し、 各曜日の各時限毎の授業と科目とを対応付けた時間割を記憶し、前記時間割記憶手段に記憶されている各科目に対応づけて辞書の種類を記憶している。そして、時間割の中から授業が指定されると、その授業の科目に対応する種類の辞書情報が検索対象に設定され、その辞書情報に記憶された見出語を検索することができる。このため、授業の指定に応じて、適切な種類の辞書の辞書情報から適切に見出語検索することができる。
【００２９】
請求項２に記載の発明によれば、日時を計時する計時手段を更に備え、計時された日時に対応して時間割中の授業が指定される。従って、計時された日時に対応して適切に授業が指定され、その指定された授業の科目に対応する辞書情報が検索対象の辞書情報となり、日時に応じた適切な授業の適切な種類の辞書情報を即座に検索可能となる。
【００３０】
請求項３に記載の発明によれば、時間割記憶手段に記憶された時間割の各曜日の各時限毎の授業を表示することができる為、表示制御した各曜日の各時限毎の授業の中からユーザがいずれかの授業を指定できる。
【００３１】
請求項４，１１に記載の発明によれば、見出語と当該見出語の説明情報とが対応づけられた辞書情報を辞書の種類毎に記憶し、各曜日の各時限毎の授業と科目とを対応付けた時間割を記憶し、前記時間割記憶機能により記憶されている各科目に対応づけて辞書の種類を記憶している。そして、時間割記憶機能により記憶された時間割中の曜日と時限毎のいずれかの授業を指定され、指定された授業に対応付けられた科目を前記時間割記憶機能により記憶されている科目の中から読み出して、この科目に関連付けられている辞書の種類を前記科目辞書記憶機能により記憶されている辞書の種類の中から読み出して、検索対象の辞書情報に設定する。また、検索対象辞書設定機能により設定された検索対象の辞書情報に記憶された見出語を検索する。従って、登録見出語がその選択した授業単位に対応づけられて記憶され、また選択された授業単位に対応付けて蓄積記憶されている登録見出語が読み出され表示される。
【００３２】
請求項５に記載の発明によれば、前記登録見出語表示制御手段により現在日時をもとに時間割中の授業が選択される。このため、ユーザは、現在日時に応じて、対応する授業単位についての登録見出語を視認することができるようになる。
【００３３】
請求項６に記載の発明によれば、説明情報表示制御手段により表示制御されている説明情報中の説明情報登録部分をユーザ操作により指定させ、この説明情報登録部分指定手段により指定された説明情報登録部分と関連付けて記憶する。そして表示制御する登録見出語に関連付けられている説明情報登録部分を、選択した授業に対応する科目に関連付けられている辞書の種類の辞書情報の中から読み出して表示することができる。
【００３４】
請求項７に記載の発明によれば、表示制御される時間割中の授業のうち、記憶されている登録見出語に対応する授業単位を識別表示することのできる情報表示制御装置を実現することができる。
【００３５】
請求項８，１２に記載の発明によれば、利用者端末と通信を行って請求項１，１０に記載の発明と同様の効果を奏するサーバを実現することができる。
【００３６】
請求項９，１３に記載の発明によれば、利用者端末と通信を行って請求項４，９に記載の発明と同様の効果を奏するサーバを実現することができる。
【００３７】
請求項１４，１６に記載の発明によれば、見出語と当該見出語の説明情報とが対応づけられた辞書情報を辞書の種類毎に記憶し、各科目に対応づけて辞書の種類を記憶する。そして科目を指定させ、指定された科目に関連付けられている辞書の種類を前記科目辞書記憶手段から読み出して、検索対象の辞書情報に設定し、検索対象辞書設定手段により設定された検索対象の辞書情報に記憶された見出語を検索することのできる情報表示制御装置を実現することができる。
【００３８】
請求項１５，１７に記載の発明によれば、利用者端末と通信を行って請求項１４，１５に記載の発明と同様の効果を奏するサーバを実現することができる。
【図面の簡単な説明】
【００３９】
【図１】本発明の電子辞書の外観を示す略線的斜視図及び操作部を抜粋して示す略線図である。
【図２】電子辞書の内部構成を示すブロック図である。
【図３】電子辞書におけるＲＡＭの構成を示す図である。
【図４】電子辞書におけるフラッシュＲＯＭの構成を示す図である。
【図５】時間割データテーブルの構成を示す図である。
【図６】予習データテーブルの構成を示す図である。
【図７】起動処理を示すフローチャートである。
【図８】時間割表モード処理を示すフローチャートである。
【図９】時間割設定処理を示すフローチャートである。
【図１０】予習モード処理を示すフローチャートである。
【図１１】科目別表示処理を示すフローチャートである。
【図１２】操作例における表示部を示す図である。
【図１３】操作例における表示部を示す図である。
【図１４】操作例における表示部を示す図である。
【図１５】操作例における表示部を示す図である。
【図１６】操作例における表示部を示す図である。
【図１７】操作例における表示部を示す図である。
【図１８】操作例における表示部を示す図である。
【図１９】操作例における表示部を示す図である。
【図２０】他の実施の形態における電子辞書システムの構成例を示す図である。
【図２１】電子辞書における辞書モードの説明に供する図である。
【図２２】他の実施の形態における表示部を示す図である。
【図２３】他の実施の形態における予習データテーブルを示す図である。
【発明を実施するための形態】
【００４０】
以下、図面を参照して本発明を実施するための形態について詳細に説明する。以下においては、本発明を折畳み式の携帯型電子辞書に適用した場合について説明するが、本発明を適用可能な形態がこれに限定されるものではない。
【００４１】
本実施の形態において、携帯型電子辞書には、国語辞典や英和辞典、和英辞典等の各種辞書データベース（以下、適宜「辞書ＤＢ」と呼ぶ。）が内蔵されている。この辞書ＤＢには、見出語に対応付けて、当該見出語を解説・説明する為のテキストデータやテーブルデータ、画像データ、動画データ等の説明情報が記憶されている。
【００４２】
また、携帯型電子辞書は、ユーザに辞書種別を選択させ、検索語を入力させ、選択された辞書を検索対象として当該検索語の解説・説明等を表示するといった、辞書ＤＢに係る標準的な機能（以下、この機能を実行する状態のことを辞書モードと呼ぶ。）を有している。
【００４３】
この辞書モードにおいては、例えば、図２１に示すような入力文字列入力画面が表示される。同図に示すように、当該入力文字列入力画面は、入力文字列を入力する為の入力文字列入力エリアＡ１や、検索対象の辞書に応じた入力文字列入力画面となっていることをユーザに認識させる為の辞書名表示Ａ２等を備えて構成される画面となっている。
因みに、同図は英和辞典を検索対象とする辞書モードにおける画面表示の例であるが、他の辞書を検索対象とする辞書モードにおいても同様である。
【００４４】
また、本実施の形態においては、この各辞書を検索対象とする辞書モードの他に、画面に時間割表を表示して諸操作に応じた処理を行う時間割表モードや、授業についての予習データを登録する機能に係る予習モード等の動作状態が実現されるようになされている。なお、これらの動作状態については後述する。
【００４５】
１．１ 外観
図１は、本実施の形態における折畳み式の携帯型電子辞書（以下、単に電子辞書と呼ぶ。）１の外観を示す図である。
【００４６】
図１（ａ）に示すように電子辞書１は、見出語や説明情報等を表示する為のディスプレイ３及び入力文字列の入力や検索実行指示を行う為の各種キー群でなる操作部５を備えて構成されている。ユーザは操作部５のこれら各キーを押下することにより電子辞書１を操作する。
【００４７】
図１（ｂ）はこの操作部５を表し、操作部５を構成する各キーにはそれぞれ固有の機能が割り当てられている。具体的には、操作部５は、電子辞書１の電源オン／オフ状態切替に用いられる電源ＯＮ／ＯＦＦキー５１、文字入力に用いられる文字入力キー部５２、辞書モードの選択に用いられる辞書選択キー部５３、カーソル移動等に用いられる方向キー部５４、操作の確定指示等に用いられる「訳／決定」キー（以下、単に決定キーと呼ぶ。）５５、前回表示した画面等へ戻る場合に用いられる「戻る」キー（以下、戻るキーと呼ぶ。）５６、本実施の形態の諸機能に係る時間割キー５７、予習キー５８及び週切替キー部５９を備えて構成されている。
【００４８】
方向キー部５４は、カーソル等を４方向へ移動させる為の、例えばキートップに４方向をそれぞれ矢印で示した方向キーを備えて構成されている。
また、週切替キー部５９は、後述する時間割表モードにおいて表示する週を切替える為のキー群であり、次週へ切替える次週キー５９ｎ及び前週へ切替える前週キー５９ｐを備えて構成されている。
【００４９】
１．２ 内部構成
図２は、電子辞書１の内部構成の一例を示す図である。同図に示すように電子辞書１は、ＣＰＵ（Central Processing Unit ）１１と、バス１２を介して当該ＣＰＵ１１に接続される入力部１３、表示部１４、ＲＡＭ（Random Access Memory）１５及びフラッシュＲＯＭ（Read Only Memory）１６とを備えて構成される。
【００５０】
ＣＰＵ１１は、入力される指示に応じて所定のプログラムに基づいた所定の処理を実行し、各機能部への指示やデータの転送等を行い、電子辞書１を統括的に制御する。具体的には、ＣＰＵ１１は、入力部１３から入力されるキーの押下信号等に応じてフラッシュＲＯＭ１６に格納されたプログラムを読み出し、当該プログラムに従って処理を実行する。そして、処理結果をＲＡＭ１５に保存するとともに、当該処理結果を表示する為の表示信号を表示部１４に出力して、対応する表示情報を表示させる。
【００５１】
入力部１３は、仮名やアルファベット等の文字入力や機能選択等に必要なキーを備えた入力装置で構成され、押下されたキーの押下信号等をＣＰＵ１１に出力する。この入力部１３におけるキー操作により、辞書の指定、入力文字列の入力、見出語の選択、検索実行指示、ヒストリ表示指示等の入力手段が実現される。尚、この入力部１３は図１の操作部５に相当する。
【００５２】
表示部１４は、ＣＰＵ１１から入力される表示信号に基づいて各種画面を表示する表示装置で構成され、ＬＣＤ（Liquid Crystal Display）やＥＬＤ（Electronic Luminescent Display）等で構成される。尚、この表示部１４は図１のディスプレイ３に相当する。
【００５３】
計時部１７は、年月日や時分といった日付情報や時刻を計時する計時装置で構成され、ＣＰＵ１１は、この計時部１７にて計時される時刻情報から現在日時を取得する。
【００５４】
ＲＡＭ１５は、ＣＰＵ１０が実行する各種処理プログラムや、これらのプログラムの実行に係るデータ等を一時的に保持する格納領域を備える。
図３は、本実施の形態におけるＲＡＭ１５の構成を示す図である。同図に示すようにＲＡＭ１５は、後述する処理における対象週日付範囲を格納する対象週日付範囲１５１を備えて構成される。
【００５５】
書換え可能な不揮発性メモリでなるフラッシュＲＯＭ１６（図２）には、各種初期設定やハードウェアの検査、必要なプログラムのロード等を行う為の初期プログラムが格納される。ＣＰＵ１１は、電子辞書１の電源投入時においてこの初期プログラムを実行することにより、電子辞書１の動作環境を設定する。
【００５６】
また、フラッシュＲＯＭ１６には、電子辞書１の動作に係る各種処理プログラムや電子辞書１の備える種々の機能を実現する為のプログラムやデータ等が格納される。
【００５７】
図４は、このフラッシュＲＯＭ１６の構成を示す図である。同図に示すようにフラッシュＲＯＭ１６は、時間割データテーブル１６１、予習データテーブル１６２、起動処理プログラム１６３、時間割表モード処理プログラム１６４、予習モード処理プログラム１６５、科目別表示処理プログラム１６６、時間割設定処理プログラム１６７、ＡＡ英和辞典ＤＢ１６８、ＢＢ英和辞典ＤＢ１６９、古語辞典ＤＢ１７０及び国語辞典ＤＢ１７１を備えて構成される。
【００５８】
時間割データテーブル１６１は時間割のデータテーブルであり、例えば図５にそのデータ構成例を示すように、各曜日の各時限毎に科目等を対応付けてなるデータ（以下、時間割データと呼ぶ。）を蓄積している。本実施の形態の時間割データは、曜日、時限、時間、科目名、辞書種別及び音声を項目として有している。辞書種別は授業で使用される辞書を表す項目である。また、音声は音声付辞書の場合の音声発音の設定（オン／オフ）を表す項目である。
【００５９】
予習データテーブル１６２は後述する予習モード処理に係るデータテーブルであり、例えば図６にそのデータ構成例を示すように、１つの授業（予習対象授業）を表す項目としての日付、曜日、時限及び科目名に対して任意個の見出語を対応付けてなるデータ（以下、予習データと呼ぶ。）を蓄積している。
【００６０】
起動処理プログラム１６３、時間割表モード処理プログラム１６４、予習モード処理プログラム１６５、科目別表示処理プログラム１６６及び時間割設定処理プログラム１６７は、それぞれ本実施の形態の時間割表モード処理、予習モード処理、科目別表示処理及び時間割設定処理に係る処理プログラムである。
【００６１】
ＣＰＵ１１は、入力部１３から入力されるキーの押下信号等に応じてこれら処理プログラムをフラッシュＲＯＭ１６から読み出し実行する。これら処理プログラムを実行することにより実現される処理について、以下に詳述する。
【００６２】
まず、本実施の形態における起動処理について説明する。
図７は、本実施の形態における起動処理に係る電子辞書１のＣＰＵ１１の処理の一例を示すフローチャートである。ＣＰＵ１１は電子辞書１の電源が投入されると、フラッシュＲＯＭ１６の起動処理プログラム１６３を実行することにより、以下に示す起動処理を行うようになされている。
【００６３】
同図に示すようにＣＰＵ１１はまず、現在日時に対応する授業（以下、現在の授業と呼ぶ。）を判定する（ステップＳ１０１）。即ちＣＰＵ１１は、フラッシュＲＯＭ１６の時間割データテーブル１６１（図５）を参照し、計時部１７から取得した現在日時に対応する時間割データ（以下、現在時間割データと呼ぶ。）を特定する。
詳細には、例えばＣＰＵ１１は、まず、計時部１７から現在日時を取得し、当該現在日時の（日未満を表す）時刻（以下、現在時刻と呼ぶ。）を求め、また所定の計算により現在日時の曜日を求めてこれをＲＡＭ１５の現在曜日１５２へ格納する。そしてＣＰＵ１１は、フラッシュＲＯＭ１６の時間割データテーブル１６１（図５）を参照し、曜日が現在曜日１５２に一致し時間が現在時刻を含む時間割データ（以下、現在時間割データと呼ぶ。）を特定することにより、現在の授業を判定する。
【００６４】
次いでＣＰＵ１１は、現在の授業に対応付けられた辞書（以下、現在授業辞書と呼ぶ。）の有無を判定する（ステップＳ１０２）。即ちＣＰＵ１１は、現在時間割データに対応付けられた辞書種別を参照し、これが設定されているか否か判定する。この場合、ステップＳ１０１において現在時間割データを特定できなかった場合は、現在授業辞書がないものとみなす。
【００６５】
現在授業辞書がない場合（ステップＳ１０２：Ｎｏ）、ＣＰＵ１１は通常通りの起動時表示として、例えば、前回終了時と同じ辞書モードを起動して画面全体に表示し、本処理を終了する（ステップＳ１０３）。
【００６６】
一方、現在授業辞書がある場合（ステップＳ１０２：Ｙｅｓ）、ＣＰＵ１１は、現在日時に対応する予習データの有無を判断する（ステップＳ１０４）。即ちＣＰＵ１１は、例えば、まず現在時間割データに対応付けられた時限をＲＡＭ１５の現在時限１５３へ格納し、次いでフラッシュＲＯＭ１６の予習データテーブル１６２を参照して、予習データのうち、対応付けられる曜日及び時限がそれぞれ現在曜日１５２及び現在時限１５３に一致する予習データの有無を判断する。
【００６７】
そして、現在日時に対応する予習データがない場合（ステップＳ１０４：Ｎｏ）、現在の授業で使用する辞書を検索対象とする辞書モードを起動して一画面表示し、本処理を終了する（ステップＳ１０５）。
【００６８】
一方、現在日時に対応する予習データがある場合（ステップＳ１０４：Ｙｅｓ）、まず現在授業辞書を検索対象とする辞書モードを起動して、上下に分割した表示部の上側の表示領域において表示する（ステップＳ１０６）。そしてまた、表示部の下側の表示領域に、現在日時に対応する各予習データの見出語及び当該見出語の、現在授業辞書における説明情報を表示して（図１８参照。）本処理を終了する（ステップＳ１０７）。
【００６９】
このように、本実施の形態の起動処理は、起動時に、授業に対応付けられた辞書を自動的に表示し、また、予習データがある場合はそれを併せて表示するようになされている。
【００７０】
次に、本実施の形態における時間割表モード処理について説明する。
図８は、本実施の形態における時間割表モードに係る電子辞書１のＣＰＵ１１の処理の一例を示すフローチャートである。電子辞書１の時間割キー５７が押下されると、ＣＰＵ１１はフラッシュＲＯＭ１６の時間割表モード処理プログラム１６４を実行することにより、以下に示す時間割表モード処理を行うようになされている。
【００７１】
同図に示すようにＣＰＵ１１はまず、計時部１７にて計時される現在日時から今週の日付範囲を特定し、ＲＡＭ１５の対象週日付範囲１５１へ格納する（ステップＳ２０１）。この場合例えば、ＣＰＵ１１は、まず所定の計算により現在日時の曜日を求めてＲＡＭ１５の現在曜日１５２へ格納し、次いで現在曜日１５２を元に今週の先頭日及び末日の日付を今週の日付範囲として特定する。
【００７２】
そしてＣＰＵ１１は、今週の授業のうち、予習データが登録されている授業（以下、予習データ有授業と呼ぶ。）を判定する（ステップＳ２０２）。
【００７３】
ここに、授業に登録されている予習データとは、予約データのうち、対応付けられている曜日及び時限が当該授業の曜日及び時限に一致し、対応付けられている日付が対象週日付範囲１５１に含まれているものを言うこととする。
【００７４】
従って、例えばステップＳ２０２においては、ＣＰＵ１１は、まずフラッシュＲＯＭ１６の予習データテーブル１６２を参照し、予習データのうち、対応付けられた日付が対象週日付範囲１５１に含まれる予習データを今週の予習データとして特定し、次いで当該今週の予習データに対応付けられた曜日及び時限をそれぞれ参照することにより、予習データが登録されている授業を判定する。
【００７５】
次いでＣＰＵ１１は、予習データ有授業をそれぞれ識別表示し、また、現在日時の曜日及び時限に対応する授業をカーソル表示して今週の時間割表を表示する（ステップＳ２０３）。具体的には、ＣＰＵ１１は、まずフラッシュＲＯＭ１６の時間割データテーブル１６１を参照し、現在日時の時刻（現在時刻）及び現在曜日１５２に対応する時間割データ（現在時間割データ）を特定する。次いでＣＰＵ１１は、例えば、予習データ有授業の枠線を強調表示させながら、また、現在時間割データに対応する授業を反転させてカーソル表示させながら、ステップＳ２０２で特定した今週の予習データを時間割表の形式で表示する（図１２参照。）。
【００７６】
そして、この時間割表を表示した状態（以下、時間割表モードと呼ぶ。）において、ＣＰＵ１１は、週切替操作、カーソル移動、決定キーの押下、予習キーの押下及びその他のキー操作を待ち受け、これらの操作に応じた処理を行う。
【００７７】
即ち、ＣＰＵ１１はまず、週切替キー部５９の押下による週切替操作がなされたか否かを判断し、週切替操作がなされていなければ（ステップＳ２０４：Ｎｏ）、方向キー部５４の押下によるカーソル移動がなされたか否かを判断し、カーソル移動がなされていなければ（ステップＳ２０５：Ｎｏ）、決定キー５５が押下されたか否かを判断し、決定キー５５が押下されていなければ（ステップＳ２０６：Ｎｏ）、予習キー５８が押下されたか否かを判断し、予習キー５８が押下されていなければ（ステップＳ２０７：Ｎｏ）、その他のキー操作がなされたか否かを判断し、なされていなければ（ステップＳ２０８：Ｎｏ）ステップＳ２０４に戻る。
【００７８】
この時間割表モードにおいて、方向キー部５４の押下によるカーソル移動がなされると（ステップＳ２０５：Ｙｅｓ）、ＣＰＵ１１は、１つの授業に設定されていたカーソルを、押下された方向キーに応じた方向へ移動させ、ステップＳ２０４に戻る（ステップＳ２０９）。
【００７９】
また、この時間割表モードにおいて、週切替キー部５９の押下による週切替操作がなされた場合（ステップＳ２０４：Ｙｅｓ）、押下された次週キー５９ｎ又は前週キー５９ｐに応じて、時間割表の表示を次週又は前週（以下、当該週）の時間割表に切替える。
【００８０】
即ち、まずＣＰＵ１１は、対象週日付範囲１５１を当該週の日付範囲に変更し、次いでステップＳ２０２と同様にして予習データ有授業を特定する（ステップＳ２１０）。
この場合ＣＰＵ１１は、例えば、週切替操作の際押下された次週キー５９ｎ又は前週キー５９ｐに応じてそれぞれ、週切替操作前の対象週日付範囲１５１に７日又は−７日を加えることにより対象週日付範囲１５１を当該週の日付範囲に変更する。そしてこの変更された対象週日付範囲１５１について予習データ有授業を特定する。
【００８１】
そしてＣＰＵ１１は、ステップＳ２０３と同様にして、週切替操作後の対象週日付範囲１５１に対応する時間割表を表示して、その後ステップＳ２０４に戻る（ステップＳ２１１）。
【００８２】
このように、カーソル移動の操作及び週切替の操作により、ユーザが所望の授業を選択し得るようになされている。
【００８３】
また、この時間割表モードにおいて、決定キー５５の押下がなされると（ステップＳ２０６：Ｙｅｓ）、ＣＰＵ１１は、後述する時間割設定処理を（ステップＳ２１２）、また、予習キー５８の押下がなされると（ステップＳ２０７：Ｙｅｓ）、後述する予習モード処理を（ステップＳ２１３）それぞれ行った後ステップＳ２０４に戻る。
【００８４】
この場合、ＣＰＵ１１は、カーソルが設定されている授業に対して時間割設定処理又は予習モード処理を実行する。従って、この時間割表モードにおけるカーソル移動は、時間割設定処理又は予習モード処理の処理対象を選択する操作となっている。
【００８５】
そして、この時間割表モードにおいて、その他のキー操作がなされた場合（ステップＳ２０８：Ｙｅｓ）、当該キー操作に応じた処理を起動して本処理を終了する（ステップＳ２１４）。因みに、この場合のその他のキー操作とは、所定の辞書モードを起動する操作等を言う。
【００８６】
かくして、この時間割表モード処理においては、時間割表の表示画面上で週切替やカーソル移動を行って所望の授業を選択し、選択された授業（以下、選択授業と呼ぶ。）について時間割設定処理や予習モード処理を実行させ得るようになされている。
【００８７】
次に、この時間割設定処理及び予習モード処理について説明する。
図９は、本実施の形態における時間割設定処理に係る電子辞書１のＣＰＵ１１の処理の一例を示すフローチャートである。ＣＰＵ１１はフラッシュＲＯＭ１６の時間割設定処理プログラム１６７を実行することにより、以下に示す時間割設定処理を行うようになされている。
【００８８】
同図に示すようにＣＰＵ１１はまず、選択授業の曜日及び時限に対応する時間割データ（以下、単に選択授業の時間割データと呼ぶ。）を表示し（ステップＳ３０１）、表示した画面において、時間割データの編集を受け付ける（ステップＳ３０２）。具体的には、ＣＰＵ１１は、フラッシュＲＯＭ１６の時間割データテーブル１６１を参照し、選択授業の時間割データから各項目を抽出して、編集画面（以下、時間割データ編集画面と呼ぶ。）に表示する。
【００８９】
ここに、本実施の形態における時間割データ編集画面は、例えば図１３に示すような、時間割データの各項目を表示し、また、それら各項目のうち科目名、時間、辞書種別及び音声の各項目を編集可能な状態で表示し、更に、「予習」と記されたボタン状の項目（以下、予習ボタンと呼ぶ。）を表示して構成される画面となっている。ユーザはこの時間割データ編集画面において、時間割データのうちの編集可能な各項目を所望の値に変更し得るようになされている。
【００９０】
そして、この時間割データ編集画面において、予習ボタンが選択されて決定キー５５が押下されると（ステップＳ３０３：Ｙｅｓ）、ＣＰＵ１１は、後述する予習モード処理を実行して本処理を終了する（ステップＳ３０４）。
【００９１】
このように、本実施の形態の時間割設定処理は、時間割表示モードで選択した所望の時間割データの詳細を、例えば図１３に示す時間割データ編集画面により表示し、また、ユーザによる編集を受け付ける処理となっている。更には、この時間割データ編集画面から予習モード処理を呼び出して、選択授業に対する予習モード（後述）に移行し得るようになされている。
【００９２】
図１０は、本実施の形態における予習モード処理に係る電子辞書１のＣＰＵ１１の処理の一例を示すフローチャートである。ＣＰＵ１１はフラッシュＲＯＭ１６の予習モード処理プログラム１６５を実行することにより、以下に示す予習モード処理を行うようになされている。
【００９３】
同図に示すようにＣＰＵ１１はまず、フラッシュＲＯＭ１６の時間割データテーブル１６１を参照し、選択授業の時間割データに登録される辞書種別（以下、選択辞書と呼ぶ。）を検索対象とする辞書モードを起動する（ステップＳ４０１）。
【００９４】
次いでＣＰＵ１１は、上下に分割した表示部の上側の表示領域において、この辞書モードを表示する（以下、この表示領域を辞書モード表示領域と呼ぶ。）。そして、選択授業について既に登録されている予習データの見出語及び当該見出語の説明情報を、表示部の下側の表示領域（以下、予習データ表示領域と呼ぶ。）に表示する（ステップＳ４０２）。
【００９５】
そしてこの、辞書モード表示領域に辞書モードを起動し、予習データ表示領域を表示した状態（以下、予習モードと呼ぶ。）の辞書モード表示領域においては、ユーザが入力する入力文字列に適合する見出語（以下、入力見出語と呼ぶ。）に対応する説明情報を選択辞書から読み出して表示する制御が行われる（ステップＳ４０３）。ＣＰＵ１１は、入力見出語の説明情報を選択辞書から読み出して表示する度に、当該入力見出語を選択授業についての新たな予習データとして登録する（ステップＳ４０４）。
【００９６】
具体的には、ＣＰＵ１１は、対象週日付範囲１５１及び選択授業により定まる日付と、選択授業の曜日、時限及び科目名と、選択辞書と、入力見出語とを対応付けた新たな予習データを、フラッシュＲＯＭ１６の予習データテーブル１６２に追加する。
【００９７】
そして、辞書モード終了等による所定の終了操作が行われると（ステップＳ４０５：Ｙｅｓ）、ＣＰＵ１１は本処理を終了する。
【００９８】
このように、予習モードにおいては、ユーザが辞書引きした見出語がフラッシュＲＯＭ１６の予習データテーブル１６２に追加される。そしてこの予習データテーブル１６２は、図５に示すように、日付（従って週）、曜日、時限及び科目等を識別させて予習データを記憶するようになされている。
【００９９】
かくして、本実施の形態の予習モード処理においては、ユーザにより辞書引きされた見出語を、授業や科目を区別して予習データテーブル１６２に蓄積するようになされている。
【０１００】
ところで、本実施の形態の電子辞書１においては、所定の辞書モードで稼動している場合等、時間割表モードでない（従って選択授業が指定されない）場合にも、先述の予習モードへ移行して所望の授業についての予習データを登録し得るようになされている。
【０１０１】
以下に、本実施の形態における科目別表示処理について説明する。
図１１は、本実施の形態における科目別表示処理に係る電子辞書１のＣＰＵ１１の処理の一例を示すフローチャートである。ＣＰＵ１１は、電子辞書１が時間割表モードでない場合に予習キー５８が押下されると、フラッシュＲＯＭ１６の科目別表示処理プログラム１６６を実行することにより、以下に示す科目別表示処理を行うようになされている。
【０１０２】
同図に示すようにＣＰＵ１１はまず、フラッシュＲＯＭ１６の時間割データテーブル１６１を参照することにより、時間割データのうち辞書の登録がなされている全時間割データの科目名を重複なく抽出し、それら科目名（以下、有辞書科目と呼ぶ。）を画面（以下、科目選択画面と呼ぶ。）に表示する（ステップＳ５０１）。
【０１０３】
この科目選択画面は、例えば図１６に示すような、有辞書科目を表示してその内から一の有辞書科目を選択させる画面となっており、ＣＰＵ１１はこの科目選択画面において、一の有辞書科目が選択されるのを待ち受ける（ステップＳ５０２）。
【０１０４】
一の有辞書科目が選択されると、ＣＰＵ１１は、選択された有辞書科目（以下、選択科目と呼ぶ。）に対する予習データのうち現在日時以降のものが授業日時順に一覧表示された画面（以下、予習データ一覧表示画面と呼ぶ。）を表示する（ステップＳ５０３）。 この場合例えば、ＣＰＵ１１はまず、フラッシュＲＯＭ１６の時間割データテーブル１６１を参照して、対応付けられている科目名が選択科目に一致する予習データを特定し、次いで、その特定されたデータのうち、対応付けられている日付が現在日時の日付以降であるものを特定し、その特定されたデータを授業日時順に表示する。
【０１０５】
この予習データ一覧表示画面は、例えば図１７に示すような、科目の項目が選択科目である現在日時以降の各授業について、授業の日付、曜日及び時限と、当該授業に登録されている予習データの見出語と、当該見出語の説明情報とでなるレコードを表示した画面である。この場合ＣＰＵ１１は、選択科目に対応する辞書を用いて各見出語を辞書引きして当該各見出語の説明情報を表示している。
【０１０６】
また、この予習データ一覧表示画面においては、予習データが登録されていない授業について、見出語及び説明情報に所定の表記（例えば「−」）を施して、予習データが登録されていない旨を明示している。即ち、予習データが登録されていない授業のレコードも表示するようになされている。
【０１０７】
そして、この予習データ一覧表示画面は、表示された各レコードの中から一のレコードを選択させる画面となっており、ＣＰＵ１１はこの科目選択画面において、一のレコードをユーザに選択させるようになされている（ステップＳ５０４）。
【０１０８】
次いでＣＰＵ１１は、決定キー５５又は予習キー５８が押下されない限り（ステップＳ５０５：その他）、ステップＳ５０５の判断を繰り返し、決定キー５５又は予習キー５８の押下を待ち受ける。
【０１０９】
ここで決定キー５５が押下されると（ステップＳ５０５：決定キー）、ＣＰＵ１１は、ステップＳ５０４において選択されたレコード（以下、選択レコードと呼ぶ。）に対応する説明情報を表示して本処理を終了する（ステップＳ５０６）。
【０１１０】
一方、ステップＳ５０５の待ち受けにおいて予習キー５８が押下されると（ステップＳ５０５：予習キー）、ＣＰＵ１１は、選択レコードに係る授業を選択授業として予習モード処理を実行して本処理を終了する（ステップＳ５０７）。
【０１１１】
このように、本実施の形態における科目別表示処理によれば、電子辞書１が時間割表モードでない場合においても予習モードへ移行し得る。
１．３ 動作
次に、かかる構成の電子辞書１における操作例について、ディスプレイ３に表示される画面の遷移例を示す図１２〜図１８を用いて詳細に説明する。
【０１１２】
［操作例１］
図１２は、３月２２日の月曜１時限に相当する時間内のある時刻（これを現在日時とする。）に、所定の辞書モードで稼動していた電子辞書１において時間割キー５７を押下して時間割表モードに切替えた場合の、ディスプレイ３に表示される時間割表画面の一例を示す図である。この時間割表画面においては、今週の日付範囲である２２日〜２８日の時間割表Ａ１１が表示され、予習データが登録されている月曜２時限（古典）、金曜１時限（英語）及び土曜３時限（英会話）にそれぞれ強調表示（図中の太線枠表示）Ｂ１１、Ｂ１２及びＢ１３がなされ、現在日時に対応する授業である月曜１時限（英語）に、選択授業であることを示す選択カーソルＢ１４により反転表示されている（図８に示すステップＳ２０１〜Ｓ２０３に相当）。
【０１１３】
この図１２に示す時間割表画面において決定キー５５を押下すると、選択授業の時間割データを表示及び編集する為の時間割データ編集画面となり、例えば図１３に示す画面となる（図８に示すステップＳ２０６（Ｙｅｓ）→Ｓ２１２及び図９に示すステップＳ３０１〜Ｓ３０３に相当）。
【０１１４】
この時間割データ編集画面においては、選択授業の時間割データの各項目である科目、曜日、時限、時間、辞書及び音声として、月曜１時限の時間割データの内容である「英語」、「月」、「１」、「8:30〜9:20」、「ＡＡ英和辞典」及び「ＯＦＦ」が表示され、これらの項目のうち科目、時間、辞書及び音声について、編集可能となっている。また、予習モードに移行する為の予習ボタンＡ１２が表示されている。
【０１１５】
この図１３に示す時間割データ編集画面において予習ボタンＡ１２を選択し決定キー５５を押下すると、選択授業についての予習モードに移行し、例えば図１４に示すような、２分割して表示された画面の上側に選択辞書を検索対象とする辞書モードを表示する辞書モード表示領域Ａ１３が、画面の下側に選択授業について登録されている予習データを表示する予習データ表示領域Ａ１４が、それぞれ表示された予習モード画面となる（図９に示すステップＳ３０３（Ｙｅｓ）→Ｓ３０４及び図１０に示すステップＳ４０１→Ｓ４０２に相当）。
【０１１６】
この場合、図１２に示す時間割表画面において予習キー５８を押下して、この図１４に示すような予習モード画面へ直ちに移行することも可能である（図８に示すステップＳ２０７（Ｙｅｓ）→Ｓ２１３及び図１０に示すステップＳ４０１→Ｓ４０２に相当）。
【０１１７】
この予習モード画面においては、辞書モード表示領域Ａ１３にＡＡ英和辞典が表示され、一方、予習データ表示領域Ａ１４には見出語及び説明情報が表示されす、まだこの授業について登録された予習データがないことを表している。
【０１１８】
そしてこの図１４のように、入力文字列が入力域Ａ１５に入力され、決定キー５５が押下され説明情報が表示される度に、予習データが登録され、登録された予習データの見出語及び説明情報が予習データ表示領域Ａ１４に表示され、例えば図１５に示すような、予習データ表示領域Ａ１４に、登録された予習データの見出語及び説明情報が表示された画面となる（図９に示すステップＳ４０３→Ｓ４０４に相当）。
【０１１９】
この画面においては、辞書モード表示領域Ａ１３において説明情報が表示されたことにより登録された予習データの見出語「all 」及び「that」と、これらそれそれの説明情報とが予習データ表示領域Ａ１４に表示されている。
【０１２０】
このように、本実施の形態の電子辞書１によれば、ユーザは時間割表の上で所望の授業を選択して、当該授業（選択授業）の時間割データを編集したり、選択授業について予習データを登録し得る。
【０１２１】
［操作例２］
図１６は、３月２２日の月曜１時限に相当する時間内のある時刻（これを現在日時とする。）に、所定の辞書モードで稼動していた電子辞書１において予習キー５８を押下した場合の、ディスプレイ３に表示される科目選択画面の一例を示す図である。
この科目選択画面においては、辞書の登録がなされている科目名が、「英会話」、「英語」、「古典」及び「国語」のように、重複なく全て表示されている（図１１に示すステップＳ５０１に相当）。
【０１２２】
この図１６に示す科目選択画面において、表示されている科目名Ａ２１の１つとして「英語」を選択して決定キー５５を押下する（科目選択する）と、例えば図１７に示すような、選択された科目（選択科目）に対する予習データが授業日時順に一覧表示された予習データ一覧表示画面が表示される（図１１に示すステップＳ５０２→Ｓ５０３に相当）。
【０１２３】
この予習データ一覧表示画面においては、英語の予習データのうち現在日時以降のものが授業日時順に一覧表示され、予習データの見出語及び当該見出語の説明情報が表示されている。また、予習データが登録されていない授業については、見出語及び説明情報に「−」が表示されている。更に、一覧表示された予習レコードａ２２のうちの１つである３月２２日月曜１時限の授業の「that」のレコードが選択されて反転表示Ｂ２１が施されている。
【０１２４】
そして、この図１７のように、一覧表示された予習レコードのうちの１つを選択した状態で決定キー５５を押下すると、例えば図１８に示すような、当該選択したレコード（選択レコード）の見出語に対応する説明情報が一画面表示される（図１１に示すステップＳ５０４→Ｓ５０５（決定キー）→Ｓ５０６に相当）。
この画面においては、選択レコードの見出語「that」の説明情報が一画面表示されている。
【０１２５】
また、予習データ一覧表示画面において、先の図１７に示す状態で予習キー５８を押下すると、例えば図１５に示すような、選択レコードに係る授業を選択授業とする予習モードの画面となる。即ち、２分割して表示された画面の上側に選択辞書を検索対象とする辞書モードを表示する辞書モード表示領域Ａ１３を、画面の下側に選択授業について登録されている予習データを表示する予習データ表示領域Ａ１４を、それぞれ有する画面となる（図１１に示すステップＳ５０４→Ｓ５０５（予習キー）→Ｓ５０７に相当）。
この画面においては、辞書モード表示領域Ａ１３にＡＡ英和辞典が表示され、既に登録されている予習データの見出語「all 」及び「that」と、これらそれそれの説明情報とが予習データ表示領域Ａ１４に表示されている。
【０１２６】
このように、本実施の形態の電子辞書１によれば、ユーザは時間割表モード以外からも予習モードへ移行して、所望の科目の授業についての予習データを登録し得る。
【０１２７】
［操作例３］
図１９は、先述の操作例１の操作を経た電子辞書１を、３月２２日の月曜１時限に相当する時間内のある時刻（これを現在日時とする。）に起動した場合の、ディスプレイ３に表示される画面の一例を示す図である。当該画面は、２分割して表示された画面上側の表示領域Ａ３１に、現在の授業で使用する辞書を検索対象とする辞書モードを表示する辞書モードを、画面の下側の予習データ表示領域Ａ３２に、現在の授業について登録されている予習データを、それぞれ表示している（図７に示すステップＳ１０１→Ｓ１０２（Ｙｅｓ）→Ｓ１０４（Ｙｅｓ）→Ｓ１０６→Ｓ１０７に相当）。
【０１２８】
この画面においては、辞書モード表示領域Ａ３１にＡＡ英和辞典が表示され、現在日時に対応する授業について既に登録されている予習データの見出語「all 」及び「that」と、これらそれそれの説明情報とが予習データ表示領域Ａ３２に表示されている。
【０１２９】
このように、本実施の形態の電子辞書１は、時間割データに辞書が登録され、予習データが登録されている授業の時間中に起動されると、自動的に当該辞書と予習データを表示し、当該辞書を検索対象とする辞書モードを開始するようになされている。
【０１３０】
２．他の実施の形態
２．１ 情報表示制御装置の変形例
上述した各実施の形態では、電子辞典、電子事典などを含む電子辞書を適用例として説明したが、本発明の情報表示制御装置は、このような製品に限定されるものではなく、携帯電話、パソコン、電子時計、ＰＤＡ（Personal Digital Assistants ）などの電子機器全般に適用可能である。
【０１３１】
２．２ 電子辞書システム
上述した各実施の形態では電子辞書１を、単体で動作する所謂スタンドアローン型の装置として説明した。しかし、本発明が適用可能な装置はこれに限られるものではない。通信装置を内蔵或いは接続可能に構成し、サーバと通信することによって本発明に係る装置を実現することも可能である。図面を参照して具体的に説明する。
【０１３２】
図２０は、通信装置を内蔵した電子辞書端末１００と、サーバ２００とが通信回線Ｎを介して通信可能に接続されたシステム構成の概略例を示す図である。サーバ２００は、例えば汎用のワークステーションやサーバ用コンピュータ等によって構成されるものであり、電子辞書端末１００は、携帯電話機や、通信装置を内蔵したパソコン、通信装置を内蔵した電子辞書等により構成されるものである。通信回線Ｎは、有線／無線の電話網やインターネット網等である。
【０１３３】
図２０において、上述した実施の形態の電子辞書１の主要機能を有する機能ブロックを太線で示した。電子辞書１のＣＰＵ１１が実行する類語検索処理やヒストリ表示処理等はサーバ２００のＣＰＵ２０２が実行する。また電子辞書１のフラッシュＲＯＭ１６が記憶する各辞書の辞書ＤＢや時間割表モード処理プログラム等はサーバ２００の、ハードディスク等から構成される記憶部２１４が記憶する。また、時間割表モード処理や予習モード処理等の実行に伴うデータはサーバ２００のＲＡＭ２１２が記憶する。
【０１３４】
一方、電子辞書１の入力部１３及び表示部１４はそれぞれ、電子辞書端末１００の入力部１０４及び表示部１０６に相当する。
【０１３５】
即ち、サーバ２００がホスト（或いはサーバ）、電子辞書端末１００が端末（或いはクライアント）に相当するホスト・端末のシステム（或いはクライアント／サーバ型のシステム）を形成する。そして、電子辞書端末１００の入力部１０４から入力された入力文字列等が通信装置１０８を介してサーバ２００に送信され、サーバ２００のＣＰＵ２０２が記憶部２１４に記憶された各種データ及び各種プログラムに従って時間割表モード処理や予習モード処理等を実行し、処理結果を通信装置２０８を通じて電子辞書端末１００に送信して表示部１０６に表示させる。このように、サーバ２００及び電子辞書端末１００から構成されるシステムで、本発明を実現することも可能である。この場合、電子辞書端末１００においては、各辞書の辞書ＤＢや時間割表モード処理プログラム等を記憶しておく必要がなく、また時間割表モード処理や予習モード処理等を実行する必要もない。このため、演算処理能力が比較的低いＣＰＵ１０２や、記憶容量等が比較的小さいＲＯＭ１１０等を具備する電子辞書端末１００（例えば携帯電話）であってもよい。
【０１３６】
より具体的に、図８を用いて以下に説明する。
時間割表モード処理に係るユーザ操作（例えば時間割キー５７押下）に応じて電子辞書端末１００（図２０）のＣＰＵ１０２は、時間割表モード処理の実行要求をサーバ２００へ送信する。
【０１３７】
当該実行要求は通信回線Ｎを介してサーバ２００へ送信され、これを受信したサーバ２００のＣＰＵ２０２は、記憶部２１４に格納される、例えば時間割表モード処理プログラム１６４（図８参照。）を実行することにより時間割表の表示に係るデータを電子辞書端末１００へ送信する（ステップＳ２０１〜Ｓ２０３）。かくして時間割表が電子辞書端末１００の表示部１０６に表示される（例えば図１２参照）。
【０１３８】
そして電子辞書端末１００のＣＰＵ１０２は、ユーザによる入力部１０４を介した週切替、カーソル移動、決定キー押下及び予習キー押下等の操作に応じて、入力内容をサーバ２００へ送信し、サーバ２００のＣＰＵ２０２は入力内容の受信の都度、カーソル移動、時間割設定処理及び予習モード処理等の処理を行う（ステップＳ２０４〜Ｓ２１３）。かくして、サーバ２００の時間割表モードや予習モードに係る機能が通信回線Ｎを介して電子辞書端末１００へ提供される。
【０１３９】
このように、かかる電子辞書システムによれば、各辞書の辞書ＤＢや類語検索処理プログラム等を記憶せず、また時間割表モード処理や予習モード処理等を実行しない電子辞書端末１００においても、時間割表モード処理や予習モード処理を利用し得る。従って、演算処理能力が比較的低いＣＰＵ１０２や、記憶容量等が比較的小さいＲＯＭ１１０等を具備する電子辞書端末１００（例えば携帯電話）によって構成することが可能である。
【０１４０】
２．３ 説明情報登録部分を指定
上述した予習モードにおいては、入力文字列に適合する見出語として選択辞書から検索された見出語を予習データとして登録していくこととして説明した（例えば、図１０のステップＳ４０３〜Ｓ４０４）が、その際に表示される説明情報の中からユーザによって指定される任意の部分を更に登録可能としてもよい。
【０１４１】
具体的には、図２２のように説明情報が表示されている状態において、ユーザが任意の部分（範囲）を指定できるようにする。同図においては、反転されている部分Ａ４１がユーザにより指定されている範囲である。そして、ＣＰＵ１１が、指定された部分を説明情報登録部分として予習データに含めて登録する。図２３がこの場合の予習データテーブル１６２−１を示す図である。図中の第２行目に、図２２において登録された「いかなる、あらゆる」という説明情報登録部分に対応付けられた予習データＡ４１が生成されている。
【０１４２】
また、図１７を参照して説明した予習データ一覧表示画面を表示する際、より具体的には図１１の科目別表示処理におけるステップＳ５０３において、この登録した説明情報登録部分を、登録した見出語の説明情報として表示する。
【０１４３】
このように、説明情報登録部分を指定可能とすることにより、ユーザは、予習時に、登録させたいと思う部分を登録させることができるようになる。また、その登録部分は予習データ一覧表示画面において表示されることとなる。
【０１４４】
また更に、図１１の科目別表示処理におけるステップＳ５０６において、予習データ一覧表示画面の中から選択されたレコードに対応する説明情報が表示されることとなるが、このとき、ＣＰＵ１１が、説明情報中の、登録されている説明情報登録部分に相当する部分を反転表示する等して特別表示することとしてもよい。
【符号の説明】
【０１４５】
１ 電子辞書
１１ ＣＰＵ
１７ 計時部
１６ フラッシュＲＯＭ
１６１ 時間割データテーブル
１６２ 予習データテーブル
１６４ 時間割表モード処理プログラム
１６５ 予習モード処理プログラム
１６７ 時間割設定処理プログラム
２００ サーバ
２０２ ＣＰＵ
２０８ 通信装置
２１４ 記憶部
【図１】
2010079920.tif 000003
【図２】
2010079920.tif 000004
【図３】
2010079920.tif 000005
【図４】
2010079920.tif 000006
【図５】
2010079920.tif 000007
【図６】
2010079920.tif 000008
【図７】
2010079920.tif 000009
【図８】
2010079920.tif 000010
【図９】
2010079920.tif 000011
【図１０】
2010079920.tif 000012
【図１１】
2010079920.tif 000013
【図１２】
2010079920.tif 000014
【図１３】
2010079920.tif 000015
【図１４】
2010079920.tif 000016
【図１５】
2010079920.tif 000017
【図１６】
2010079920.tif 000018
【図１７】
2010079920.tif 000019
【図１８】
2010079920.tif 000020
【図１９】
2010079920.tif 000021
【図２０】
2010079920.tif 000022
【図２１】
2010079920.tif 000023
【図２２】
2010079920.tif 000024
【図２３】
2010079920.tif 000025
【手続補正書】
【提出日】平成21年12月8日(2009.12.8)
【手続補正２】
【補正対象書類名】明細書
【補正対象項目名】０００１
【補正方法】変更
【補正の内容】
【０００１】
本発明は情報表示制御装置及び情報表示制御プログラムに関し、詳細には、見出語と説明情報とが対応づけられ集合された辞書情報の中から見出語を検索してその見出語に対応する説明情報を表示する表示制御装置等に関するものである。
【手続補正３】
【補正対象書類名】明細書
【補正対象項目名】００１１
【補正方法】変更
【補正の内容】
【００１１】
以上の課題を解決するため、請求項１に記載の発明の情報表示制御装置は、
見出語と当該見出語の説明情報とが対応づけられた辞書情報を辞書の種類毎に記憶する辞書記憶手段（図４；AA英和辞書DB168〜国語辞書DB171）と、
各科目に対応づけて辞書の種類を記憶している科目辞書記憶手段（図５;161(科目名,辞書種別))と、
各曜日の各時限毎に前記各科目のうちの一の科目を時間割として記憶している時間割記憶手段（図５の時間割データテーブル１６１）と、
前記時間割記憶手段に記憶されている時間割を、曜日と時限と科目からなる各授業の一覧表示として表示制御させる時間割表示制御手段（図２のＣＰＵ１１；図８のＳ２０３）と、
この時間割表示制御手段により表示された時間割中のいずれかの曜日と時限と科目からなる授業をユーザ操作により指定する授業指定手段（図１２の選択カーソルＢ１４）と、
この授業指定手段により指定された授業に対応する科目を前記時間割記憶手段から読み出し、その科目に対応づけられている辞書の種類を前記科目辞書記憶手段から読み出して、検索対象に設定する科目対応辞書設定手段（図２のＣＰＵ１１；図１０のＳ４０１）と、
この科目対応辞書設定手段により設定された辞書の辞書情報に記憶された見出語を検索する辞書検索手段（図２のＣＰＵ１１；図１０のＳ４０３）と、
前記辞書検索手段により検索された見出語の説明情報を表示させる説明情報表示制御手段（図２のＣＰＵ１１；図１０のＳ４０３）と、
前記辞書検索手段により検索された見出語を前記授業指定手段により指定された授業に対応づけて記憶させる見出語記憶制御手段（図２のＣＰＵ１１；図１０のＳ４０４）と、
前記授業指定手段により授業が指定された後に、この指定された授業に対応づけられている見出語を前記見出語記憶制御手段から読み出して一覧表示させる指定授業見出語一覧表示制御手段（図２のＣＰＵ１１；図１０のＳ４０２）と、
を備えることを特徴としている。
【手続補正４】
【補正対象書類名】明細書
【補正対象項目名】００１２
【補正方法】変更
【補正の内容】
【００１２】
また、請求項２に記載の発明は、請求項１に記載の情報表示制御装置において、
日時を計時する計時手段（例えば、図２の計時部１７）を更に備え、
前記授業指定手段は、前記計時手段により計時された日時に対応した曜日と時限とに対応する授業を指定する（図２のＣＰＵ１１；図７のＳ１０１）日時対応授業指定手段を有する、
ことを特徴としている。
【手続補正５】
【補正対象書類名】明細書
【補正対象項目名】００１３
【補正方法】変更
【補正の内容】
【００１３】
また、請求項３に記載の発明は、請求項１に記載の情報表示制御装置において、
前記見出語記憶制御手段は、前記説明情報表示制御手段により表示制御された説明情報のうち、ユーザ操作により指定された説明情報登録部分を見出語に対応づけて記憶させる説明情報部分記憶制御手段（図１０のステップＳ４０３〜Ｓ４０４、図２２のA41、[0138][0139]）を有し、
前記見出語表示制御手段は、この説明情報部分記憶制御手段により見出語に対応づけて記憶された説明情報登録部分を表示する制御を行う説明情報部分表示制御手段（図２のＣＰＵ１１；図１０のＳ４０２、図１１のＳ５０３、図２３のA42、[0140][0141]）を有する、
ことを特徴としている。
【手続補正６】
【補正対象書類名】明細書
【補正対象項目名】００１４
【補正方法】変更
【補正の内容】
【００１４】
また、請求項４に記載の発明は、請求項１に記載の情報表示制御装置において、
前記時間割表示制御手段は、前記見出語記憶制御手段に記憶されている見出語に対応付けられている授業を識別表示する制御を行う登録授業識別表示制御手段（図２のＣＰＵ１１；図８のＳ２０１〜Ｓ２０３、[0112]）を有することを特徴としている。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】変更
【補正の内容】
【００２８】
請求項１に記載の発明によれば、表示された時間割中のいずれかの曜日と時限と科目からなる授業をユーザ操作により指定すると、指定された授業に対応する科目を読み出して対応する辞書の種類を検索対象に設定し、その辞書情報の見出語を検索して説明情報を表示し、検索された見出語を前記授業指定手段により選択された授業に対応づけて記憶する。そしてユーザ操作により授業が指定されると、授業に対応する見出語を読み出して一覧表示する。従って、時間割から授業を選ぶだけで適切な辞書で検索でき、検索見出語を授業に対応づけて記憶でき、授業を指定するだけで、その授業に対応づけて記憶された見出語を一覧表示でき、各授業に応じた辞書での見出語検索と閲覧が容易に行える。
【手続補正２１】
【補正対象書類名】明細書
【補正対象項目名】００２９
【補正方法】変更
【補正の内容】
【００２９】
請求項２に記載の発明によれば、さらに、計時された現在日時に対応する曜日と時限とに対応する授業が指定されるので、現在日時の授業に対応する見出し語を一覧表示できる。
【手続補正２２】
【補正対象書類名】明細書
【補正対象項目名】００３０
【補正方法】変更
【補正の内容】
【００３０】
請求項３に記載の発明によれば、表示制御された説明情報のうち、ユーザ操作により指定された説明情報登録部分を見出語に対応づけて記憶させることができ、見出語表示制御手段による見出語表示の際にその指定の説明情報登録部分を表示させることができるので、たとえば、予習した見出し語を表示する際に、ユーザ登録した適切な語義等を併せて表示させることができる。
【手続補正２３】
【補正対象書類名】明細書
【補正対象項目名】００３１
【補正方法】変更
【補正の内容】
【００３１】
請求項４に記載の発明によれば、前記時間割表示制御手段は、前記見出語記憶制御手段に記憶されている見出語に対応付けられている授業を識別表示するので、たとえば識別制御された各曜日の各時限毎の授業の中からユーザがいずれかの授業を指定して、予習として記憶された見出し語を容易に表示させることができる。
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】特許請求の範囲
【補正対象項目名】全文
【補正方法】変更
【補正の内容】
【特許請求の範囲】
【請求項１】
見出語と当該見出語の説明情報とが対応づけられた辞書情報を辞書の種類毎に記憶する辞書記憶手段と、
各科目に対応づけて辞書の種類を記憶している科目辞書記憶手段と、
各曜日の各時限毎に前記各科目のうちの一の科目を時間割として記憶している時間割記憶手段と、
前記時間割記憶手段に記憶されている時間割を、曜日と時限と科目からなる各授業の一覧表示として表示制御させる時間割表示制御手段と、
この時間割表示制御手段により表示された時間割中のいずれかの曜日と時限と科目からなる授業をユーザ操作により指定する授業指定手段と、
この授業指定手段により指定された授業に対応する科目を前記時間割記憶手段から読み出し、その科目に対応づけられている辞書の種類を前記科目辞書記憶手段から読み出して、検索対象に設定する科目対応辞書設定手段と、
この科目対応辞書設定手段により設定された辞書の辞書情報に記憶された見出語を検索する辞書検索手段と、
前記辞書検索手段により検索された見出語の説明情報を表示させる説明情報表示制御手段と、
前記辞書検索手段により検索された見出語を前記授業指定手段により指定された授業に対応づけて記憶させる見出語記憶制御手段と、
前記授業指定手段により授業が指定された後に、この指定された授業に対応づけられている見出語を前記見出語記憶制御手段から読み出して一覧表示させる指定授業見出語一覧表示制御手段と、
を備えることを特徴とする情報表示制御装置。
【請求項２】
日時を計時する計時手段を更に備え、
前記授業指定手段は、前記計時手段により計時された日時に対応した曜日と時限とに対応する授業を指定する日時対応授業指定手段を有する、
ことを特徴とする請求項１に記載の情報表示制御装置。
【請求項３】
前記見出語記憶制御手段は、前記説明情報表示制御手段により表示制御された説明情報のうち、ユーザ操作により指定された説明情報登録部分を見出語に対応づけて記憶させる説明情報部分記憶制御手段を有し、
前記見出語表示制御手段は、この説明情報部分記憶制御手段により見出語に対応づけて記憶された説明情報登録部分を表示する制御を行う説明情報部分表示制御手段を有する、
ことを特徴とする請求項１に記載の情報表示制御装置。
【請求項４】
前記時間割表示制御手段は、前記見出語記憶制御手段に記憶されている見出語に対応付けられている授業を識別表示する制御を行う登録授業識別表示制御手段を有することを特徴とする請求項１に記載の情報表示制御装置。
【請求項５】
情報表示制御装置のコンピュータを制御するための情報表示制御プログラムであって、
前記コンピュータを、
見出語と当該見出語の説明情報とが対応づけられた辞書情報を辞書の種類毎に記憶する辞書記憶手段、
各科目に対応づけて辞書の種類を記憶している科目辞書記憶手段、
各曜日の各時限毎に前記各科目のうちの一の科目を時間割として記憶している時間割記憶手段、
前記時間割記憶手段に記憶されている時間割を、曜日と時限と科目からなる各授業の一覧表示として表示制御させる時間割表示制御手段、
この時間割表示制御手段により表示された時間割中のいずれかの曜日と時限と科目からなる授業をユーザ操作により指定する授業指定手段、
この授業指定手段により指定された授業に対応する科目を前記時間割記憶手段から読み出し、その科目に対応づけられている辞書の種類を前記科目辞書記憶手段から読み出して、検索対象に設定する科目対応辞書設定手段、
この科目対応辞書設定手段により設定された辞書の辞書情報に記憶された見出語を検索する辞書検索手段（図２のＣＰＵ１１；図１０のＳ４０１〜Ｓ４０３）と、
前記辞書検索手段により検索された見出語の説明情報を表示させる説明情報表示制御手段、
前記辞書検索手段により検索された見出語を前記授業指定手段により指定された授業に対応づけて記憶させる見出語記憶制御手段、
前記授業指定手段により授業が指定された後に、この指定された授業に対応づけられている見出語を前記見出語記憶制御手段により記憶されている見出語から読み出して一覧表示させる指定授業見出語一覧表示制御手段、
として機能させるためのコンピュータ読み込み可能な情報表示制御プログラム。